(57)【要約】【課題】省電力化の実現を可能とする省電力チューナシステムを提供する。【解決手段】システム制御部１を動作させるクロックとして入力される高速クロックと低速クロックとを切り替えるクロック切り替え回路９を備え、前記システム制御部１は、通常時は前記低速クロックで動作しており、いずれかの操作キーが操作されて入力が発生した場合、操作キー入力部２からの入力をトリガーとして、前記クロック切り替え回路９で高速クロック側に切り替える制御を行って高速クロックでの動作に切り替え、この高速クロックによる動作に切り替えた後、操作キーの操作に対応した前記操作キー入力部２よりの入力検出を行い、当該入力に対応して、チューナ回路４の受信制御及び表示部３の表示制御を行う制御データの転送を行うように構成した。【選択図】図１
2006314089.tif 000002
【特許請求の範囲】
【請求項１】
任意の放送周波数を受信可能で音声信号を出力するチューナ回路と、
前記チューナ回路で受信する放送局の受信周波数設定を行う操作キー入力部と、
前記受信周波数の表示を行う表示部と、
前記操作キー入力部の入力により前記チューナ回路及び表示部を制御するシステム制御部と、
前記システム制御部を高速クロックで動作させる高速クロックを発生させる高速クロック発振回路と、
前記システム制御部を低速クロックで動作させる低速クロックを発生させる低速クロック発振回路と、
前記システム制御部を動作させるクロックとして入力される前記高速クロックと低速クロックとを切り替えるクロック切り替え回路とを備え、
前記システム制御部は、通常時は前記低速クロックで動作しており、いずれかの操作キーが操作されて入力が発生した場合、操作キー入力部からの入力をトリガーとして、前記クロック切り替え回路で高速クロック側に切り替える制御を行って高速クロックでの動作に切り替え、この高速クロックによる動作に切り替えた後、操作キーの操作に対応した前記操作キー入力部よりの入力検出を行い、当該入力に対応して、前記チューナ回路の受信制御及び前記表示部の表示制御を行う制御データの転送を行うように構成したチューナシステム。
【請求項２】
前記システム制御部は、高速クロックによる動作に切り替えた状態で、前記操作キー入力部に所定時間内に操作入力が無ければ、前記チューナ回路および前記表示部への制御データの転送は行わず、現在の制御データ設定を保持し、前記クロック切り替え回路で低速クロック側に切り替える制御を行って低速クロックでの動作に切り替え、この低速クロックによる動作を行う
請求項１に記載のチューナシステム。
【請求項３】
前記表示部は、前記システム制御部により表示制御データが転送された際に点灯可能な表示部であり、
前記システム制御部は、操作キー入力部に所定時間内に操作入力が無ければ、前記表示部へ消灯制御データを転送して消灯モードとした後、前記クロック切り替え回路で切り替えられた低速クロックで動作し、次の操作キー入力が発生するまで前記表示部の消灯を保持するように制御する、
請求項２に記載のチューナシステム。
【発明の詳細な説明】
【技術分野】
【０００１】
本発明は、ラジオ受信器を搭載し、放送局の受信周波数の表示が可能なチューナシステムに関するものである。
【背景技術】
【０００２】
チューナシステムには、ＰＬＬ受信方式チューナとデジタル表示対応が必須となっており、ポータブルタイプの機器では、受信周波数の表示に例えば液晶表示を採用して小型化と省電力化を行い、受信周波数のデジタル表示を実現している。また、ＰＬＬ受信方式チューナと液晶表示を制御するためには、マイコン等のシステム制御部を搭載しなければならない。（例えば、特許文献１を参照）。
【０００３】
このようなチューナシステムとしては、図３に示す構成のものが考えられる。
【０００４】
図３に示すブロック図において、１はシステム制御部、４はチューナ回路、５は音声出力を増幅する音声増幅回路、６は前記音声増幅回路で増幅された音声信号を出力する出力端子、２は放送局の受信周波数設定を行う操作キー入力部、３は前記受信周波数の表示を行う表示部である。７は前記システム制御部１を動作させるシステムクロックを供給する高速クロック発振回路、４は任意の放送周波数を受信する事が可能なチューナ回路であり、前記チューナ回路の受信周波数の設定と表示部３の受信周波数表示データ設定を行うシステム制御部１を備え、前記システム制御部１は、操作キー入力部２から出力された所定の直流電圧を読み込み、放送局の受信周波数設定の為の操作キー入力を判別し、チューナ回路４へ受信周波数設定データを転送して受信周波数の設定と表示部３の受信周波数表示の設定を行う。
【０００５】
このように、システム制御部により、受信周波数の設定と受信周波数の表示をデジタル的に制御が可能な機能を兼ね備えたものとすることができる。
【特許文献１】特開平９−２３１１９３号公報
【発明の開示】
【発明が解決しようとする課題】
【０００６】
チューナシステムでは、マイコン等で構成されたシステム制御部により、受信周波数の設定の操作キーの入力が発生した場合、チューナ回路へ受信周波数設定データを転送して受信周波数の設定と表示部の受信周波数表示の設定を行うことで実現しているが、ポータブルタイプの機器では、省電力化をして電池寿命の長時間化を図り、または内蔵電池のサイズの小型化による小型セットサイズを実現しなければならない。チューナ回路で消費される電力に比べて、表示部の受信周波数表示のために、例えばＬＣＤ等のバックライト点灯に必要な電力とシステム制御部が表示部とチューナ回路の制御を行うために必要な電力の方が大きいチューナシステム構成となる場合がある。
【０００７】
本発明は、チューナ回路と放送局の受信周波数の表示を行う表示部と受信周波数の設定を行う操作キー入力部からの受信周波数の入力によってチューナ回路と表示回路を制御するシステム制御部を有すチューナシステムにおいて、省電力化の実現を可能とするチューナシステムを提供することを目的とする。
【課題を解決するための手段】
【０００８】
この課題を解決するために本発明のチューナシステムは、任意の放送周波数を受信可能で音声信号を出力するチューナ回路と、前記チューナ回路で受信する放送局の受信周波数設定を行う操作キー入力部と、前記受信周波数の表示を行う表示部と、前記操作キー入力部の入力により前記チューナ回路及び表示部を制御するシステム制御部と、前記システム制御部を高速クロックで動作させる高速クロックを発生させる高速クロック発振回路と、前記システム制御部を低速クロックで動作させる低速クロックを発生させる低速クロック発振回路と、前記システム制御部を動作させるクロックとして入力される前記高速クロックと低速クロックとを切り替えるクロック切り替え回路とを備え、
前記システム制御部は、通常時は前記低速クロックで動作しており、いずれかの操作キーが操作されて入力が発生した場合、操作キー入力部からの入力をトリガーとして、前記クロック切り替え回路で高速クロック側に切り替える制御を行って高速クロックでの動作に切り替え、この高速クロックによる動作に切り替えた後、操作キーの操作に対応した前記操作キー入力部よりの入力検出を行い、当該入力に対応して、前記チューナ回路の受信制御及び前記表示部の表示制御を行う制御データの転送を行うように構成した。
【０００９】
これにより、システム制御部は、操作キー入力部に所定の時間内で操作キー入力が無ければ、チューナ回路と表示部への受信周波数設定制御データ転送は行わず、現在の制御データ設定を保持し、クロック切り替え回路で低速クロック発振回路からのシステムクロックの選択を行い、次の操作キー入力が発生するまで、低速クロック発振回路のシステムクロックで動作することで省電力化を実現することができる。
【発明の効果】
【００１０】
以上のように本発明によれば、規定の高速クロックと規定の低速クロックを選択して切り替えを行うクロック切り替え回路と前記高速クロックを発生させる高速クロック発信回路と前記低速クロックを発生させる低速クロック発振回路と上述の各ブロックの制御を行うシステム制御部を備えることにより、システム制御部は、操作キー入力部に所定の時間内で操作キー入力が無ければ、チューナ回路と表示部への受信周波数設定制御データ転送は行わず、現在の制御データ設定を保持し、クロック切り替え回路で低速クロック発振回路からのシステムクロックの選択を行い、次の操作キー入力が発生するまで、低速クロック発振回路のシステムクロックで動作することで省電力化を実現することができ、電池寿命の長時間化が実現可能となる。
【発明を実施するための最良の形態】
【００１１】
本発明の第１の発明によるチューナシステムは、任意の放送周波数を受信可能で音声信号を出力するチューナ回路と、前記チューナ回路で受信する放送局の受信周波数設定を行う操作キー入力部と、前記受信周波数の表示を行う表示部と、前記操作キー入力部の入力により前記チューナ回路及び表示部を制御するシステム制御部と、前記システム制御部を高速クロックで動作させる高速クロックを発生させる高速クロック発振回路と、  前記システム制御部を低速クロックで動作させる低速クロックを発生させる低速クロック発振回路と、前記システム制御部を動作させるクロックとして入力される前記高速クロックと低速クロックとを切り替えるクロック切り替え回路とを備え、前記システム制御部は、通常時は前記低速クロックで動作しており、いずれかの操作キーが操作されて入力が発生した場合、操作キー入力部からの入力をトリガーとして、前記クロック切り替え回路で高速クロック側に切り替える制御を行って高速クロックでの動作に切り替え、この高速クロックによる動作に切り替えた後、操作キーの操作に対応した前記操作キー入力部よりの入力検出を行い、当該入力に対応して、前記チューナ回路の受信制御及び前記表示部の表示制御を行う制御データの転送を行うように構成したチューナシステムである。
【００１２】
また、第２の発明は、上記第１の発明において、前記システム制御部は、高速クロックによる動作に切り替えた状態で、前記操作キー入力部に所定時間内に操作入力が無ければ、前記チューナ回路および前記表示部への制御データの転送は行わず、現在の制御データ設定を保持し、前記クロック切り替え回路で低速クロック側に切り替える制御を行って低速クロックでの動作に切り替え、この低速クロックによる動作を行う、チューナシステムである。
【００１３】
また、第３の発明は、上記第２の発明において、前記表示部は、前記システム制御部により表示制御データが転送された際に点灯可能な表示部であり、前記システム制御部は、操作キー入力部に所定時間内に操作入力が無ければ、前記表示部へ消灯制御データを転送して消灯モードとした後、前記クロック切り替え回路で切り替えられた低速クロックで動作し、次の操作キー入力が発生するまで前記表示部の消灯を保持するように制御する、チューナシステムである。
【００１４】
これにより、システム制御部は、操作キー入力部に所定の時間内で操作キー入力が無ければ、チューナ回路と表示部への受信周波数設定制御データ転送は行わず、現在の制御データ設定を保持し、クロック切り替え回路で低速クロック発振回路からのシステムクロックの選択を行い、次の操作キー入力が発生するまで、低速クロック発振回路のシステムクロックで動作することで省電力化を実現することができる。
【００１５】
以下、本発明の実施の形態について、図面を用いて説明する。
【００１６】
（実施の形態１）
図１は、本発明の実施の形態１によるチューナシステムの構成を示すブロック図である。図１において、４は任意の放送周波数を受信可能で音声信号を出力するＰＬＬ方式のチューナ回路、５はこのチューナ回路４により受信され出力された音声信号出力を増幅する音声増幅回路、６は音声増幅回路５で増幅された音声信号を出力する出力端子である。２はチューナ回路４で受信する放送局の受信周波数設定を行う操作キー入力部、３はその受信周波数の表示を行う表示部、１は操作キー入力部２よりの入力によりチューナ回路４及び表示部３を制御するシステム制御部である。７は高速クロックを発生させる高速クロック発振回路、８は低速クロックを発生させる低速クロック発振回路、９は両クロック発振回路７，８よりの規定の高速クロックと規定の低速クロックを選択切り替えを行うクロック切り替え回路であり、このクロック切り替え回路９により選択された高速クロック又は低速クロックがシステム制御部１に供給されて、システム制御部１はその入力されたクロックで動作するようになっている。
【００１７】
操作キー入力部２は、放送局の受信周波数設定操作として、例えば、モード操作キーや周波数選択操作キー等による操作入力が発生した場合、その操作内容に対応する操作キー入力をシステム制御部１に入力するものであり、その入力は操作内容に対応して規定の直流電圧変動としてシステム制御部１で検出し、その操作内容を判別する。システム制御部１は、通常時は、クロック切り替え回路９が低速クロック発振回路８側の出力を選択して低速クロックで動作しており、いずれかの操作キーが操作されて入力が発生した場合、システム制御部１は、操作キー入力部２からのこの最初の入力の直流電圧変動をトリガーとして、前記クロック切り替え回路９を高速クロック発振回路７側の出力に切り替え、高速のクロックのシステムクロックで動作となる。この高速のクロックでの動作状態で、システム制御部１内の例えばＡ／Ｄ検出手段により、受信周波数の操作キー入力が発生した場合に、その受信周波数のキー操作入力検出と判別を行い、チューナ回路４へ受信周波数設定の制御データを転送して受信周波数の設定を行うと共に、表示部３へ受信周波数設定の制御データを転送して受信周波数表示の設定を行う。
【００１８】
そして、システム制御部１は、操作キー入力部２に所定の時間内で操作キー入力が無ければ、チューナ回路４と表示部３への受信周波数設定制御データの転送は行わず、現在の制御データ設定のままとし、クロック切り替え回路９により低速クロック発振回路８側に切り替えて、低速クロックによるシステムクロックの選択を行い、次の操作キー入力が発生するまで、低速クロック発振回路８の低速クロックによるシステムクロックで動作する。このように構成することにより、システム制御部１の省電力化を図ることができる。
【００１９】
次に、図２に示すフローチャートに基づいて説明する。まず、システム制御部１は、システムクロックが、通常時は低速クロックに設定されて動作しており（ステップＳ１）、次のステップＳ２において、いずれかの操作キーが操作されて操作キー入力部２より入力があるか否かを判定し、入力がある場合、ステップＳ３に進み、なければステップＳ１に戻る。ステップＳ３では、操作キー入力をトリガーとして高速クロックに設定し、クロック切り替え回路９を高速クロック側に切り替える制御を行って高速クロックでの動作に切り替える。この高速クロックによる動作に切り替えた後、次のステップＳ４において、更に、操作キーの操作に対応した操作キー入力部２よりの入力があるか否かを判定し、入力が有る場合はステップＳ５に進んで、当該入力の操作キーの内容を判別し、入力がない場合はステップＳ８に進む。ステップＳ５で操作キー内容を判別した後、次のステップＳ６及びＳ７において、操作キーの内容に対応して、チューナ回路４に対する受信周波数の設定及び表示部３に対する受信周波数表示の設定を行い、チューナ回路４の受信制御及び表示部２の表示制御を行う制御データの転送を行う。そして、ステップＳ８では、操作キー入力があって受信周波数を設定した後、所定時間が経過したかどうかを判定し、所定時間入力がない場合にステップＳ１に戻り、低速クロックに設定して、クロック切り替え回路９を低速クロック側に切り替える制御を行って低速クロックでの動作に切り替える。ステップＳ８で所定時間が経過していない場合は、ステップＳ４に戻る。
【００２０】
前述の表示部３が、システム制御部１により表示制御データが転送された際に点灯可能な表示部として構成されている場合、システム制御部１は、操作キー入力部２に所定の時間内で操作キー入力が無ければ、表示部３への受信周波数設定の制御データの転送を行わず、現在の制御データ設定のままとすると共に、消灯制御データを転送して消灯モードとした後、クロック切り替え回路９により低速クロック発振回路８側に切り替えて、低速クロックによるシステムクロックの選択を行い、次の操作キー入力が発生するまで、表示部３を消灯したままとする制御動作することで表示部３の省電力化を図ることができる。
【００２１】
以上のように本実施の形態によれば、従来に比べ表示部２と、システム制御部１の消費電力を削減して、チューナシステムを実現することができる。
【産業上の利用可能性】
【００２２】
本発明にかかるチューナシステムは、操作キー入力部に所定の時間内で操作キー入力が無ければ、チューナ回路と表示部への制御データ転送は行わず、現在の制御データ設定のままとし、クロック切り替え回路で低速クロック発振回路からのシステムクロックの選択を行い、次の操作キー入力が発生するまで、低速クロック発振回路のシステムクロックで動作することで省電力化を実現することができ、ポータブルタイプの機器では、電池寿命の長時間化、または電池サイズの小型化によるセットサイズの小型化が実現可能となる効果を有し、小型で電池寿命の長時間化に対応したポータブルタイプの機器としてのチューナシステム等として有用である。
【図面の簡単な説明】
【００２３】
【図１】本発明の実施の形態による省電力チューナシステムの構成を示すブロック図
【図２】同システム制御部のフローチャート
【図３】従来のチューナシステムの構成を示すブロック図
【符号の説明】
【００２４】
１    システム制御部
２    操作キー入力部
３    表示部
４    チューナ回路
５    音声増幅回路
６    出力端子
７    高速クロック発振回路
８    低速クロック発振回路
【図１】
2006314089.tif 000003
【図２】
2006314089.tif 000004
【図３】
2006314089.tif 000005